【手続補正書】
【提出日】平成22年11月17日(2010.11.17)
【手続補正１】
【補正対象書類名】特許請求の範囲
【補正対象項目名】全文
【補正方法】変更
【補正の内容】
【特許請求の範囲】
【請求項１】
互いに対向する第一の主面及び第二の主面を有する支持基体の前記第一の主面上に、酸化アルミニウムからなる金属酸化物層を形成する第１工程と、
前記金属酸化物層上に、Ｓｎ及びＩｎからなる群より選択される少なくとも１種を構成成分として含む電波透過性金属層を形成する第２工程と、
前記電波透過性金属層上の一部に、合成樹脂を含むマスク層を形成する第３工程と、
前記マスク層が形成されていない部分にエッチング処理を施し、前記支持基体の主面の略法線方向からみて、前記電波透過性金属層のパターン及び前記金属酸化物層のパターンを、前記マスク層のパターンと略同一に形成する第４工程と、
前記マスク層上に、合成樹脂を含む接着層を形成する第５工程と、
を有する、装飾材の製造方法。
【請求項２】
前記第２工程において、物理的蒸着法又は化学的蒸着法により酸化アルミニウムからなる金属酸化物層を形成する、請求項１に記載の装飾材の製造方法。
【請求項３】
前記第１工程の前に、前記支持基体の前記第一の主面上に、合成樹脂を含む剥離層を当該支持基体から剥離可能に形成する剥離層形成工程を有し、
前記第１工程においては、前記剥離層形成工程において形成した前記剥離層上に前記金属酸化物層を形成する、請求項１又は２に記載の装飾材の製造方法。
【手続補正２】
【補正対象書類名】明細書
【補正対象項目名】００２８
【補正方法】変更
【補正の内容】
【００２８】
更に、本発明の装飾材の製造方法においては、第１工程において、物理的蒸着法又は化学的蒸着法により酸化アルミニウムからなる金属酸化物層を形成してもよい。これにより、公知の薄膜製造技術を用いて容易かつ確実に金属酸化物層を形成することができるようになる。
【手続補正３】
【補正対象書類名】明細書
【補正対象項目名】００５５
【補正方法】変更
【補正の内容】
【００５５】
図柄層８は、剥離層６上に形成され文字や図柄を表現するための層である。図柄層８は、文字や図柄を表現するために、着色剤と、バインダーとなる合成樹脂と、を少なくとも構成材料として含む着色インキを用いて形成される。
【手続補正４】
【補正対象書類名】明細書
【補正対象項目名】００６１
【補正方法】変更
【補正の内容】
【００６１】
金属酸化物層１２は酸化アルミニウムからなり、第１アンカー層１０上に配置される層である。この金属酸化物層１２は、支持基体２の主面の略法線方向からみて、当該金属酸化物層１２と、マスク層１６と、電波透過性金属層１４とが略同一パターンを有して積層されるように配置されている。この金属酸化物層１２は絶縁性であるため、この層が存在しても電波透過性には影響しない。
【手続補正５】
【補正対象書類名】明細書
【補正対象項目名】００８７
【補正方法】変更
【補正の内容】
【００８７】
更に、本発明の装飾材の製造方法の第１実施形態では、第１工程の前に、支持基体２の第一の主面Ｓ１上に、合成樹脂を含む剥離層６を当該支持基体から剥離可能に形成する剥離層形成工程を有し、第１工程においては、剥離層形成工程において形成した剥離層６上に金属酸化物層１２を形成している。
以下、個々の製造工程についてより具体的に説明する。
【手続補正６】
【補正対象書類名】明細書
【補正対象項目名】００９９
【補正方法】変更
【補正の内容】
【００９９】
図２に示すように、第１実施形態の装飾材の製造方法における第３工程おいては、電波透過性金属層１４上の一部（電波透過性金属層を残しておきたい部分）に、合成樹脂を含むマスク層１６を形成する。
【手続補正７】
【補正対象書類名】明細書
【補正対象項目名】０１０１
【補正方法】変更
【補正の内容】
【０１０１】
＜第４工程＞
図３に示すように、第１実施形態の装飾材の製造方法における第４工程おいては、マスク層１６が形成されていない部分にエッチング処理を施し、支持基体２の主面の略法線方向からみて、電波透過性金属層１４のパターン及び金属酸化物層１２のパターンを、マスク層１６のパターンと略同一になるように形成する。
【手続補正８】
【補正対象書類名】明細書
【補正対象項目名】０１０２
【補正方法】変更
【補正の内容】
【０１０２】
エッチング処理に使用するエッチング液としては、例えばｐＨが０〜２．５の酸性の水溶液、又はｐＨが１２．５〜１４の塩基性の水溶液が好ましい。また、酸性の水溶液のｐＨのより好ましい上限は概ね２程度であり、塩基性の水溶液のｐＨのより好ましい上限は概ね１３程度である。エッチング処理による第１アンカー層のダメージをより確実に防止する観点からは、ｐＨが上記範囲の弱酸性又は弱塩基性の水溶液がより好ましい。本実施形態の装飾材１においては、金属酸化物層１２上に電波透過性金属層１４を配置しているため、弱酸性又は弱塩基性の水溶液を用いたエッチング処理であっても、マスク層１６によりマスクされていない電波透過性金属層１４及び金属酸化物層１２は十分に除去することができる。
【手続補正９】
【補正対象書類名】明細書
【補正対象項目名】０１０４
【補正方法】変更
【補正の内容】
【０１０４】
エッチング液に使用する塩基としては、水に溶けて上述のｐＨ範囲の塩基性を発現することのできる塩基であれば特に限定されない。例えば、水酸化ナトリウム、及び、水酸化カリウムからなる群から選択される少なくとも１種の塩基が好ましく挙げられる。
【手続補正１０】
【補正対象書類名】明細書
【補正対象項目名】０１１２
【補正方法】変更
【補正の内容】
【０１１２】
更に、第１実施形態の装飾材の製造方法においては、第１工程において、物理的蒸着法又は化学的蒸着法により酸化アルミニウムからなる金属酸化物層を形成している。これにより、公知の薄膜製造技術を用いて容易かつ確実に金属酸化物層を形成することができるようになる。
【手続補正１１】
【補正対象書類名】明細書
【補正対象項目名】０１１５
【補正方法】変更
【補正の内容】
【０１１５】
ここで、装飾材１は、図１に示した第１実施形態の装飾材１（剥離層６を有する構成の装飾材１）であり、かつ、装飾材１は、接着層の側で成形体に固定されている。この装飾材１は、先に述べたように、成形体３０の表面に固定後に、支持基体２を容易に剥離することができる。成形品１Bは、装飾材１を備えているので、所望の図柄による装飾が容易かつ確実に施されている。
【手続補正１２】
【補正対象書類名】明細書
【補正対象項目名】０１１７
【補正方法】変更
【補正の内容】
【０１１７】
樹脂成形体の場合に構成材料となる合成樹脂としては、例えば、ポリスチレン系樹脂、ポリオレフィン系樹脂、ＡＢＳ樹脂、ＡＳ樹脂、ＡＮ樹脂などの汎用樹脂を挙げることができる。また、ポリフェニレンオキシド・ポリスチレン系樹脂、ポリカーボネート系樹脂、ポリアセタール系樹脂、アクリル系樹脂、ポリカーボネート変性ポリフェニレンエーテル樹脂、ポリブチレンテレフタレート樹脂、超高分子量ポリエチレン樹脂などの汎用エンジニアリング樹脂やポリスルホン樹脂、ポリフェニレンサルファイド系樹脂、ポリフェニレンオキシド系樹脂、ポリアリレート樹脂、ポリエーテルイミド樹脂、ポリイミド樹脂、液晶ポリエステル樹脂、ポリアリル系耐熱樹脂などのスーパーエンジニアリング樹脂を使用することもできる。更に、ガラス繊維や無機フィラーなどの補強材を添加した複合樹脂も使用できる。